(57)【要約】【課題】樹脂材と、この樹脂材に締結された部品とを、低コストで効率的に分離、解体することが可能な被処理物の解体装置およびこれを用いた被処理物の解体方法を提供する。【解決手段】被処理物を載置するステージと、前記ステージに載置される前記被処理物の寸法を測定する測定手段と、前記被処理物を破砕する破砕刃と、前記破砕刃を前記ステージの幅方向に沿って移動させる破砕位置調整手段と、前記破砕刃を前記ステージに突出した突出位置と前記ステージから退避した退避位置との間で移動させる破砕刃突出手段と、  前記寸法の情報に基づいて前記被処理物の破砕位置を決定する制御部と、を備えたことを特徴とする。【選択図】図１
2020049439.tif 000002
【特許請求の範囲】
【請求項１】
被処理物を載置するステージと、
前記ステージに載置される前記被処理物の寸法を測定する測定手段と、
前記被処理物を破砕する破砕刃と、
前記破砕刃を前記ステージの幅方向に沿って移動させる破砕位置調整手段と、
前記破砕刃を前記ステージに突出した突出位置と前記ステージから退避した退避位置との間で移動させる破砕刃突出手段と、
前記寸法の情報に基づいて前記被処理物の破砕位置を決定する制御部と、を備えたことを特徴とする被処理物の解体装置。
【請求項２】
前記ステージには下方に向けて開く開閉扉が形成され、前記ステージの下側には受け台が配されていることを特徴とする請求項１記載の被処理物の解体装置。
【請求項３】
一端が前記受け台に接続され、前記受け台の外方に向けて延びるコンベアを更に備えたことを特徴とする請求項２記載の被処理物の解体装置。
【請求項４】
前記破砕刃は複数形成されていることを特徴とする請求項１ないし３いずれか一項記載の被処理物の解体装置。
【請求項５】
請求項１ないし４いずれか一項記載の被処理物の解体装置を用いて、前記被処理物を構成する樹脂材を破砕して該樹脂材に締結された部品を取り外す被処理物の解体方法であって、
前記被処理物の前記寸法を測定する測定工程と、
前記寸法の情報に基づいて前記破砕位置を決定する破砕位置決定工程と、
前記破砕位置の情報に基づいて、前記破砕刃を前記破砕位置に移動させる破砕位置調整工程と、
前記破砕刃を前記退避位置から前記突出位置に変位させ、前記樹脂材を前記破砕位置で破砕する破砕工程と、
を少なくとも備えたことを特徴とする被処理物の解体方法。
【請求項６】
破砕後の前記被処理物を下方に落下させ、着地衝撃によって前記樹脂材と前記部品との分離を促進させる落下工程を更に備えたことを特徴とする請求項５記載の被処理物の解体方法。
【請求項７】
前記被処理物はエアコン室内機であり、前記破砕位置は熱交換器およびファンが配された領域と、前記ファンを駆動させるモーターが配された領域との間に設定されることを特徴とする請求項５または６記載の被処理物の解体方法。
【発明の詳細な説明】
【技術分野】
【０００１】
この発明は、被処理物を解体する解体装置、およびこれを用いた被処理物の解体方法に関するものである。
【背景技術】
【０００２】
リサイクルを行う際に、解体によって金属など有用な材料を含む部品が得られる被処理物の一例として、エアコンが挙げられる。例えば、家庭用の壁掛型エアコン室内機には、銅やアルミニウムなどを含む熱交換器やモーターなどが含まれている。こうした熱交換器やモーターは、一般的に樹脂材からなる筐体に締結されているため、エアコンの解体を行う際には、これら熱交換器やモーターを樹脂材から取り外す必要がある。
【０００３】
従来、廃家電品の解体方法として、例えば、特許文献１には、モーター、コンプレッサー等の金属部品を分別して有価資源を回収するために、Ｘ線を用いた画像処理によって金属部品の位置及び大きさを検出し、金型を用いて金属部品を打ち抜いて分別する廃家電品解体方法が開示されている。
【０００４】
また、特許文献２には、切断刃である打撃体を周面に設けた回転体を高速回転させ、臨界衝撃速度以上の速度でエア・コンディショナの熱交換器に衝突させることにより、衝突部分の表層を破砕しつつ熱交換器を切断するエア・コンディショナの解体方法が開示されている。
【０００５】
更に、特許文献３には、画像処理によって室外機筐体と室外機筐体内のコンプレッサーを固定している複数のスタッドボルトの位置を特定して、このスタッドボルトの周囲を切り抜いて、コンプレッサーと室外機筐体とを分離するエアコン室外機の解体方法が開示されている。
【先行技術文献】
【特許文献】
【０００６】
【特許文献１】特開平０９−０５７６９８号公報
【特許文献２】特開２００２−０７１１５６号公報
【特許文献３】特開２０１２−０３２０２１号公報
【発明の概要】
【発明が解決しようとする課題】
【０００７】
しかしながら、特許文献１に記載されている廃家電品解体方法は、金属部品の位置及び大きさを検出するためにＸ線画像撮影および画像解析を行うなど、コストと手間が掛かり、効率的に解体を行うことが難しいという課題があった。
【０００８】
また、特許文献２に記載されているエア・コンディショナの解体方法は、打撃体を高速回転させて、回収目的の熱交換器に衝突させるため、熱交換器自体が切断されてチップ状になってしまい、回収物の取り扱い性が良くないという課題があった。
【０００９】
更に、特許文献３に記載されているエアコン室外機の解体方法は、画像処理によってスタッドボルトの位置を特定してから、このスタッドボルトの周囲に切断具を正確に位置決めして切り抜く必要があるなど、短時間で効率的に解体を行うことが困難であるという課題があった。また、回収目的の部品がボルト以外の手段で筐体に固定されている場合には適用することができない。
【００１０】
本発明は、前述した状況に鑑みてなされたものであって、被処理物を構成する樹脂材と、この樹脂材に締結された部品とを、低コストで効率的に分離、解体することが可能な被処理物の解体装置、およびこれを用いた被処理物の解体方法を提供することを目的とする。
【課題を解決するための手段】
【００１１】
上記の課題を解決するために、本発明の被処理物の解体装置は、被処理物を載置するステージと、前記ステージに載置される前記被処理物の寸法を測定する測定手段と、前記被処理物を破砕する破砕刃と、前記破砕刃を前記ステージの幅方向に沿って移動させる破砕位置調整手段と、前記破砕刃を前記ステージに突出した突出位置と前記ステージから退避した退避位置との間で移動させる破砕刃突出手段と、前記寸法の情報に基づいて前記被処理物の破砕位置を決定する制御部と、を備えたことを特徴とする。
【００１２】
本発明の被処理物の解体装置によれば、被処理物を構成する部品の配置がほぼ一定の被処理物の寸法を測定し、この寸法に応じた破砕位置に破砕刃を移動させて、この破砕刃で被処理物を破砕するだけで、被処理物を構成する樹脂材と、例えば金属などを含む部品とを容易に分離できる。これにより、Ｘ線画像撮影などによって部品全体のレイアウトを把握したり、ネジ等を外して樹脂材と部品との締結を解除するなどの手間とコストとの掛かる工程が不要になり、低コストで容易に、かつ効率的に被処理物を解体することが可能になる。
【００１３】
また、本発明では、前記ステージには下方に向けて開く開閉扉が形成され、前記ステージの下側には受け台が配されていてもよい。
【００１４】
また、本発明では、一端が前記受け台に接続され、前記受け台の外方に向けて延びるコンベアを更に備えていてもよい。
【００１５】
また、本発明では、前記破砕刃は複数形成されていてもよい。
【００１６】
本発明の被処理物の解体方法は、前記各項記載の被処理物の解体装置を用いて、前記被処理物を構成する樹脂材を破砕して該樹脂材に締結された部品を取り外す被処理物の解体方法であって、前記被処理物の前記寸法を測定する測定工程と、前記寸法の情報に基づいて前記破砕位置を決定する破砕位置決定工程と、前記破砕位置の情報に基づいて、前記破砕刃を前記破砕位置に移動させる破砕位置調整工程と、前記破砕刃を前記退避位置から前記突出位置に変位させ、前記樹脂材を前記破砕位置で破砕する破砕工程と、を少なくとも備えたことを特徴とする。
【００１７】
また、本発明では、破砕後の前記被処理物を下方に落下させ、着地衝撃によって前記樹脂材と前記部品との分離を促進させる落下工程を更に備えていてもよい。
【００１８】
また、本発明では、前記被処理物はエアコン室内機であり、前記破砕位置は熱交換器およびファンが配された領域と、前記ファンを駆動させるモーターが配された領域との間に設定されてもよい。
【発明の効果】
【００１９】
本発明によれば、樹脂材と、この樹脂材に締結された部品とを、低コストで効率的に分離、解体することが可能な被処理物の解体装置、およびこれを用いた被処理物の解体方法を提供することが可能になる。
【図面の簡単な説明】
【００２０】
【図１】被処理物の解体装置の一例を示す外観平面図である。
【図２】被処理物および被処理物の解体装置の要部概略構成図である。
【図３】本実施形態の被処理物の解体方法を段階的に示したフローチャートである。
【発明を実施するための形態】
【００２１】
（被処理物の解体装置）
まず最初に、本発明の一実施形態の被処理物の解体装置について説明する。
図１は、被処理物の解体装置の一例を示す外観平面図である。図２は、被処理物および被処理物の解体装置の要部概略構成図である。
本実施形態の被処理物の解体装置（以下、単に解体装置と称する場合がある。）１０は、被処理物である廃家電品の一例としての壁掛型のエアコン室内機（被処理物）１の解体に好ましく用いられる。
【００２２】
解体装置１０は、エアコン室内機１を載置するステージ１１と、エアコン室内機１の寸法を測定する測定手段１２と、エアコン室内機１を破砕する破砕刃１３と、この破砕刃１３をエアコン室内機１に向けて押し出す破砕刃突出手段１４と、破砕刃１３をステージ１１の幅方向Ｌに沿って移動させる破砕位置調整手段１５と、これら各部を制御する制御部１６とを備えている。
【００２３】
また、解体装置１０は、ステージ１１から落下させたエアコン室内機１を受け止める受け台１７と、一端が受け台１７に接続され受け台１７の外方に向けて延びるコンベア１８とを更に備えている。
【００２４】
ここで、一般的な壁掛型のエアコン室内機１の概略構成について説明する。エアコン室内機１は、樹脂材からなる筐体２と、この筐体２に締結された熱交換器（部品）３、ファン（部品）４、モーター（部品）５、制御基板（部品）６とが配置されている。
【００２５】
熱交換器３は、ファン４によって取り入れられた空気と、循環する冷媒との間で熱交換を行う部品であり、熱伝導性に優れた銅やアルミニウムなどから形成されている。ファン４は、熱交換器３内に空気を流通させる部品であり、樹脂やアルミニウムなどから形成された円筒状のシロッコファンである。モーター５は、ファン４を回転させる部品であり、外装材としてアルミニウムや鋼材が、またコイルとして銅線などが含まれている。
【００２６】
こうしたエアコン室内機１を構成する各部品は、メーカーや筐体２のサイズによらず、ほぼ決まったレイアウトで配置されている。即ち、エアコン室内機１の取付状態において、上側に熱交換器３が、また下側にファン４がそれぞれ配置されている。また、ファン４に隣接してモーター５が、また、熱交換器３に隣接して制御基板６がそれぞれ配置されている。
【００２７】
このような部品レイアウトのエアコン室内機１の筐体２から各部品を破砕によって分離させる際には、筐体２の一方の側面と、熱交換器３およびファン４の一方の端部との間に設定される第１破砕線Ｃ１に沿って筐体２を破砕する。また、熱交換器３およびファン４の他方の端部と、モーター５および制御基板６との間に設定される第２破砕線Ｃ２に沿って筐体２を破砕する。こうした第１破砕線Ｃ１および第２破砕線Ｃ２に沿って筐体２を破砕すれば、樹脂材である筐体２に締結されている部品である熱交換器３、ファン４、モーター５などが筐体２から分離する。
【００２８】
ステージ１１は、エアコン室内機１を載置するものである。ステージ１１は、底板１１Ａと、背面板１１Ｂとを備えている。エアコン室内機１は、下側が底板１１Ａに接するように、また、背面側が背面板１１Ｂに接するように載置される。
【００２９】
ステージ１１の底板１１Ａには、下方に向かって回動し、載置されたエアコン室内機１を落下させる開閉扉１１Ｃが設けられている。本実施形態では、開閉扉１１Ｃは、底板１１Ａを２分割してそれぞれ回動可能に軸着したものからなる。開閉扉１１Ｃは、例えば油圧シリンダーなどで構成される扉開閉機構１１Ｄによって開閉される。
【００３０】
測定手段１２は、解体に先立ってエアコン室内機１の寸法を測定する装置であり、本実施形態ではレーザー光の反射によって長さを測定する装置から構成されている。測定手段１２は、エアコン室内機１の側面にレーザー光Ｓを照射して、エアコン室内機１の寸法を測定する。なお、本実施形態では、測定手段１２によって測定されるエアコン室内機１の寸法Ｗとして、ステージ１１の幅方向Ｌに沿ったエアコン室内機１の幅とする。測定手段１２によって測定された寸法Ｗの情報は、制御部１６に向けて出力される。
【００３１】
破砕刃１３は、本実施形態では２か所に形成され、それぞれ破砕刃１３Ａ，１３Ｂとされる。破砕刃１３は、所定の厚みの鋼板などから構成されている。破砕刃１３は、矩形板状に形成されている。また、破砕刃１３のうち、エアコン室内機１に対面する一辺は、先端に向かって厚みが漸減する刃状に形成されていてもよい。
破砕刃１３のうち、一方の破砕刃１３Ａは第１破砕線Ｃ１に沿って筐体２を破砕し、また、他方の破砕刃１３Ｂは第２破砕線Ｃ２に沿って筐体２を破砕する。
【００３２】
破砕刃突出手段１４は、ステージ１１に載置されたエアコン室内機１の前面よりも手前の位置、即ちステージ１１上から退避した退避位置Ｐ１と、エアコン室内機１の筐体２に食い込む位置、即ちステージ１１上に突出した突出位置Ｐ２との間で破砕刃１３を前後動させる装置であり、本実施形態では、破砕刃突出手段１４は油圧シリンダーから構成されている。
【００３３】
破砕刃突出手段１４は、一方の破砕刃１３Ａを前後動させる破砕刃突出手段１４Ａと、他方の破砕刃１３Ｂを前後動させる破砕刃突出手段１４Ｂとを備えている。破砕刃突出手段１４は、制御部１６から出力される動作信号によって前後動の動作を行う。
なお、破砕刃突出手段１４は、油圧シリンダー以外にも、例えば、モーターとギアなどによって構成されていても良い。
【００３４】
破砕位置調整手段１５は、破砕刃１３及び破砕刃突出手段１４をステージ１１に沿って移動させるものであり、本実施形態では、破砕刃１３の前後動方向に対して直角で、かつステージ１１の一辺に沿った幅方向Ｌに沿って移動させる。こうした破砕位置調整手段１５は、例えば、幅方向Ｌに沿って延びるレールや、このレール上で破砕刃１３及び破砕刃突出手段１４を移動させるモーターなどから構成されている。
【００３５】
破砕位置調整手段１５は、制御部１６から出力される動作信号によって動作し、エアコン室内機１の寸法Ｗによって異なる第１破砕線Ｃ１や第２破砕線Ｃ２に対応する位置に破砕刃１３及び破砕刃突出手段１４を移動させる。なお、破砕位置調整手段１５は、レールやモーターなどから構成する以外にも、例えば、油圧シリンダーなとから構成することもできる。
【００３６】
制御部１６は、例えば、ＣＰＵ、メモリ、ドライバ回路などから構成され、測定手段１２から出力されるエアコン室内機１の寸法Ｗの情報が入力されるとともに、破砕位置調整手段１５、破砕刃突出手段１４の動作信号を出力する。また、ステージ１１の開閉扉１１Ｃを開閉させる扉開閉機構１１Ｄを制御する。
【００３７】
こうした制御部１６のメモリには、被処理物であるエアコン室内機１の部品配置と寸法Ｗとの関係に基づく、第１破砕線Ｃ１および第２破砕線Ｃ２の位置が予め記憶されている。
【００３８】
受け台１７は、ステージ１１の直下に配置され、開閉扉１１Ｃの開放によって落下した、破砕後のエアコン室内機１を受け止めるものであり、全体が鋼材やステンレス材などによって構成されている。こうした受け台１７は、着地衝撃によって破砕後のエアコン室内機１の筐体２と各部品との分離を促進させるために、受け面が高強度になるように形成されていることが望ましい。
【００３９】
コンベア１８は、受け台１７に落下させた破砕後のエアコン室内機１を受け台１７の外側に引き出す搬送装置であり、例えば、ベルトコンベアやローラーコンベアなどから構成されている。本実施形態では、コンベア１８は、ステージ１１よりも低い位置に配置された受け台１７から、ステージ１１とほぼ同じ高さまで傾斜して延びるように形成されている。なお、コンベア１８は受け台１７を兼用するように構成されていてもよい。
【００４０】
解体装置１０は、上述した構成以外にも、例えば、ステージ１１の一端に接続され、解体前のエアコン室内機１をステージ１１に送り込む導入コンベアや、エアコン室内機１の破砕時の破砕片の飛散を防止するフードなどが設けられていてもよい。
【００４１】
次に、上述した被処理物の解体装置を用いた、本発明の一実施形態の被処理物の解体方法について説明する。
図３は、本実施形態の被処理物の解体方法を段階的に示したフローチャートである。
被処理物の一例であるエアコン室内機１を解体装置１０によって解体し、部品を取り出す際には、まず、廃家電品のエアコン室内機１をステージ１１に導入する（載置工程Ｓ１）。エアコン室内機１は、ステージ１１上で下側が底板１１Ａに接し、背面側が背面板１１Ｂに接するように載置される。
【００４２】
次に、ステージ１１に載置したエアコン室内機１の寸法Ｗを測定する（測定工程Ｓ２）。この測定工程Ｓ２では、例えば測定手段１２であるレーザー測距器からエアコン室内機１の側面に向けてレーザー光Ｓを照射し、ステージ１１の幅方向Ｌに沿ったエアコン室内機１の寸法Ｗを測定する。
【００４３】
測定にあたっては、筐体２の一方の側面をステージ１１上の定位置に合わせ、筐体２の他方の側面に向けてレーザー光Ｓを照射して反射光を受光することで、既知の標準寸法に対する長短に基づいてエアコン室内機１の寸法Ｗの実測値のデータを得ることができる。得られたエアコン室内機１の寸法Ｗの情報は制御部１６に入力される。
【００４４】
次に、制御部１６は、予め記憶されているエアコン室内機１の寸法Ｗに対応する第１破砕線Ｃ１および第２破砕線Ｃ２のそれぞれの位置（破砕位置）を参照する（破砕位置決定工程Ｓ３）。第１破砕線Ｃ１および第２破砕線Ｃ２の位置（破砕位置）はエアコン室内機１の寸法Ｗに対して制御部１６の演算によって決めてもよい。例えば第１破砕線Ｃ１および第２破砕線Ｃ２はエアコン室内機１の寸法Ｗに対し、エアコン室内機１の両端から幅方向Ｌに沿ってそれぞれ一定比率離れたところに設定する。この場合、第１破砕線Ｃ１および第２破砕線Ｃ２のそれぞれの位置（破砕位置）はエアコン室内機１の寸法Ｗおよびそれぞれの比率によって決められる。
そして、破砕位置調整手段１５に向けて動作信号を出力し、寸法Ｗに応じた第１破砕線Ｃ１、第２破砕線Ｃ２に合致する位置（破砕位置）に向けて、破砕刃１３Ａ，１３Ｂを幅方向Ｌに沿ってそれぞれ移動させる（破砕位置調整工程Ｓ４）。
【００４５】
破砕刃１３Ａ，１３Ｂが、第１破砕線Ｃ１、第２破砕線Ｃ２にそれぞれ合致する位置に移動した後、制御部１６は、破砕刃突出手段１４Ａ，１４Ｂに対して、それぞれ動作信号を出力する。これにより、破砕刃突出手段１４Ａ，１４Ｂを構成する油圧シリンダー内の油圧が高められ、破砕刃１３Ａ，１３Ｂがそれぞれエアコン室内機１の前面よりも手前にある退避位置Ｐ１から筐体２に食い込む突出位置Ｐ２に向けて突出する（破砕工程Ｓ５）。
【００４６】
こうした破砕工程Ｓ５によって、樹脂材である筐体２は、第１破砕線Ｃ１および第２破砕線Ｃ２に沿ってそれぞれ破砕される。このうち、第１破砕線Ｃ１に沿って筐体２を破砕することで、筐体２の一方の側面と熱交換器３およびファン４のそれぞれの一方の端部との締結が解除される。
【００４７】
また、第２破砕線Ｃ２に沿って筐体２を破砕することで、熱交換器３およびファン４が配された領域と、モーター５および制御基板６が配された領域との間が分離し、熱交換器３およびファン４のそれぞれの他方の端部と筐体２との締結が解除される。また、モーター５および制御基板６と筐体２との締結が解除される。
【００４８】
このように、筐体２を第１破砕線Ｃ１および第２破砕線Ｃ２に沿ってそれぞれ破砕することで、金属などを含む部品である熱交換器３、ファン４、モーター５を、樹脂材である筐体２から分離することができる。
【００４９】
この後、制御部１６は、扉開閉機構１１Ｄに向けて動作信号を出力し、ステージ１１の開閉扉１１Ｃを回動させて下方に開く。これにより、破砕後のエアコン室内機１は受け台１７に向けて落下する（落下工程Ｓ６）。そして、破砕された筐体２と熱交換器３、ファン４、モーター５などの部品とは、受け台１７への着地衝撃によって、より一層確実に分離される。
そして、互いに分離した筐体２と、熱交換器３、ファン４、モーター５などの部品とが、コンベア１８によって受け台１７の外部に引き出される。
【００５０】
以上の工程を経て、樹脂材からなる筐体２と、この筐体２に締結された、リサイクルに有用な金属などを含む部品（熱交換器３、ファン４、モーター５）とを、容易に、かつ効率的に分離して、エアコン室内機１の解体を行うことができる。
【００５１】
以上のように、実施形態の被処理物の解体装置およびこれを用いた被処理物の解体方法によれば、金属などを含む部品のレイアウトが機種やメーカーによらずほぼ共通している廃家電品（被処理物）、例えばエアコン室内機の寸法を測定し、寸法に応じた破砕位置に破砕刃を移動させて、この破砕刃で樹脂材である筐体を破砕位置で破砕するだけで、樹脂材と、これに締結された金属などを含む部品とが分離される。
【００５２】
これにより、Ｘ線画像撮影などによって部品全体のレイアウトを把握したり、ネジ等を外して樹脂材と部品との締結を解除するなどの手間とコストとの掛かる工程が不要になり、低コストで容易に、かつ効率的に被処理物を解体することが可能になる。
【００５３】
そして、実施形態の被処理物の解体装置およびこれを用いた被処理物の解体方法では、部品自体を破砕しないので、金属などを含む部品がチップ状などの細片になることが無く、取り扱い、搬送が容易なサイズで回収することができる。
【００５４】
なお、上述した被処理物の解体装置およびこれを用いた被処理物の解体方法の実施形態では、被処理物としてエアコン室内機を例示したが、被処理物はこれに限定されるものでは無い。
例えば、廃冷蔵庫の樹脂材からなる収納室部分と、金属を含む部品であるコンプレッサーおよび放熱板とを分離する際に用いることもできる。一般的な冷蔵庫は、収納室に対するコンプレッサーや放熱板などの部品の配置（レイアウト）が決まっており、例えば高さ（寸法）を測定するだけで、画像解析などを行わなくても部品を樹脂材から分離させるのに有効な破砕位置を決めることができる。
【００５５】
また例えば、廃洗濯機の樹脂材からなる洗濯槽部分と、金属を含む部品であるモーターとを分離する際に用いることもできる。一般的な洗濯機は、洗濯槽に対するモーターなどの部品の配置（レイアウト）が決まっており、例えば高さ（寸法）、あるいは幅（寸法）を測定するだけで、画像解析などを行わなくても部品を樹脂材から分離させるのに有効な破砕位置を決めることができる。
【００５６】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５７】
１…エアコン室内機（被処理物）
２…筐体（樹脂材）
３…熱交換器（部品）
４…ファン（部品）
５…モーター（部品）
６…制御基板（部品）
１０…解体装置
１１…ステージ
１２…測定手段
１３…破砕刃
１４…破砕刃突出手段
１５…破砕位置調整手段
１６…制御部
Ｐ１…退避位置
Ｐ２…突出位置
【図１】
2020049439.tif 000003
【図２】
2020049439.tif 000004
【図３】
2020049439.tif 000005
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
被処理物を載置するステージと、
前記ステージに載置される前記被処理物の寸法を測定する測定手段と、
前記被処理物を破砕する破砕刃と、
前記破砕刃を前記ステージの幅方向に沿って移動させる破砕位置調整手段と、
前記破砕刃を前記ステージに突出した突出位置と前記ステージから退避した退避位置との間で移動させる破砕刃突出手段と、
前記寸法の情報に基づいて前記被処理物の破砕位置を決定する制御部と、を備え、
前記被処理物はエアコン室内機であり、前記破砕位置は熱交換器およびファンが配された領域と、前記ファンを駆動させるモーターが配された領域との間に設定されることを特徴とする被処理物の解体装置。
【請求項２】
前記ステージには下方に向けて開く開閉扉が形成され、前記ステージの下側には受け台が配されていることを特徴とする請求項１記載の被処理物の解体装置。
【請求項３】
一端が前記受け台に接続され、前記受け台の外方に向けて延びるコンベアを更に備えたことを特徴とする請求項２記載の被処理物の解体装置。
【請求項４】
前記破砕刃は複数形成されていることを特徴とする請求項１ないし３いずれか一項記載の被処理物の解体装置。
【請求項５】
請求項１ないし４いずれか一項記載の被処理物の解体装置を用いて、前記被処理物を構成する樹脂材を破砕して該樹脂材に締結された部品を取り外す被処理物の解体方法であって、
前記被処理物の前記寸法を測定する測定工程と、
前記寸法の情報に基づいて前記破砕位置を決定する破砕位置決定工程と、
前記破砕位置の情報に基づいて、前記破砕刃を前記破砕位置に移動させる破砕位置調整工程と、
前記破砕刃を前記退避位置から前記突出位置に変位させ、前記樹脂材を前記破砕位置で破砕する破砕工程と、
を少なくとも備えたことを特徴とする被処理物の解体方法。
【請求項６】
破砕後の前記被処理物を下方に落下させ、着地衝撃によって前記樹脂材と前記部品との分離を促進させる落下工程を更に備えたことを特徴とする請求項５記載の被処理物の解体方法。
【手続補正２】
【補正対象書類名】明細書
【補正対象項目名】００１１
【補正方法】変更
【補正の内容】
【００１１】
上記の課題を解決するために、本発明の被処理物の解体装置は、被処理物を載置するステージと、前記ステージに載置される前記被処理物の寸法を測定する測定手段と、前記被処理物を破砕する破砕刃と、前記破砕刃を前記ステージの幅方向に沿って移動させる破砕位置調整手段と、前記破砕刃を前記ステージに突出した突出位置と前記ステージから退避した退避位置との間で移動させる破砕刃突出手段と、前記寸法の情報に基づいて前記被処理物の破砕位置を決定する制御部と、を備え、前記被処理物はエアコン室内機であり、前記破砕位置は熱交換器およびファンが配された領域と、前記ファンを駆動させるモーターが配された領域との間に設定されることを特徴とする。
【手続補正３】
【補正対象書類名】明細書
【補正対象項目名】００１８
【補正方法】削除
【補正の内容】